(57)【特許請求の範囲】
【請求項１】
次の成分（Ａ）、（Ｂ）、（Ｃ）及び（Ｄ）：
（Ａ）ポリオキシエチレンアルキルエーテル硫酸塩  １〜２０質量％、
（Ｂ）ポリオキシエチレンアルキルエーテルカルボン酸又はその塩  ０．５〜２０質量％、
（Ｃ）融点が３０℃以上である、水溶性ポリオキシエチレンアルキルエーテル型非イオン界面活性剤  ０．２〜１６質量％、
（Ｄ）炭素数８〜１８の脂肪酸とポリグリセリン平均重合度２〜１５のポリグリセリン脂肪酸エステル  ０．００１〜５質量％
を含有する透明洗浄剤組成物。
【請求項２】
成分（Ａ）、（Ｂ）及び（Ｃ）の質量割合が、（Ａ）／（（Ｂ）＋（Ｃ））＝３／１〜１／２である請求項１項記載の透明洗浄剤組成物。
【請求項３】
成分（Ａ）、（Ｂ）、（Ｃ）及び（Ｄ）の質量割合が、（（Ａ）＋（Ｂ）＋（Ｃ））／（Ｄ）＝５０／１〜１００／１である請求項１又は２項記載の透明洗浄剤組成物。
【請求項４】
泡吐出容器に充填して使用する請求項１〜３のいずれか１項記載の透明洗浄剤組成物。
【請求項５】
液状成分である成分（Ａ）及び（Ｂ）に対し、成分（Ｃ）は、（（Ａ）＋（Ｂ））／（Ｃ）＝２／１〜１０／１の割合で配合される請求項１〜４のいずれか１項記載の透明洗浄剤組成物。
【請求項６】
成分（Ａ）を５〜１０質量％、成分（Ｂ）を０．５〜２．５質量％、成分（Ｃ）を１〜３．７５質量％、成分（Ｄ）を０．１〜１質量％含有する請求項１〜５のいずれか１項記載の透明洗浄剤組成物。
【請求項７】
更に、（Ｅ）カチオンポリマーを含有する請求項１〜６のいずれか１項記載の透明洗浄剤組成物。
【請求項８】
更に、（Ｆ）ポリオールを含有する請求項１〜７のいずれか１項記載の透明洗浄剤組成物。
【請求項９】
成分（Ａ）、（Ｂ）及び（Ｃ）の質量割合が、（Ａ）／（（Ｂ）＋（Ｃ））＝２／１〜１／１である請求項１〜８のいずれか１項記載の透明洗浄剤組成物。
【請求項１０】
成分（Ａ）、（Ｂ）、（Ｃ）及び（Ｄ）の質量割合が、（（Ａ）＋（Ｂ）＋（Ｃ））／（Ｄ）＝７０／１〜９５／１である請求項１〜９のいずれか１項記載の透明洗浄剤組成物。
【請求項１１】
手洗い用である請求項１〜１０のいずれか１項記載の透明洗浄剤組成物。
【請求項１２】
手を水で濡らさずに、請求項１〜１１のいずれか１項記載の透明洗浄剤組成物を直接手に塗布し、マッサージして洗い流す洗浄方法。
【発明の詳細な説明】
【技術分野】
【０００１】
本発明は、洗浄剤組成物に関する。
【背景技術】
【０００２】
液体の洗浄剤組成物を泡吐出容器に充填し、細かい泡として吐出させて使用する皮膚又は毛髪用の洗浄剤製品は、泡立てる手間が省け、皮膚や毛髪・頭皮への刺激が緩和される等の利点がある。このような洗浄剤製品においては、均一な泡を得るために組成物を低粘度に維持することが好ましいとされ、また、洗浄力や泡質を改善する方法についても種々検討がなされている。しかし、実際には吐出時の泡が洗浄過程で減少し、十分な起泡性を有していない。
そこで、手洗い用の洗浄剤においては、手指の隅々にまで泡が消えずに行き届いて汚れをしっかりと落とす泡のもちや、ぬるつかずに素早くすすげること、また１日に何度も使用され、繰り返される洗浄に対しても手肌のうるおいを守って洗えることが求められる。
【０００３】
例えば、(a)アニオン性界面活性剤、(b)両性界面活性剤及び／又は半極性非イオン界面活性剤、及び(c)カチオン性高分子化合物及び／又は両性高分子化合物を含有し、泡状に吐出させる容器に収納された液体洗浄剤組成物（特許文献１）や、ポリオキシエチレンアルキルエーテル硫酸塩及びカチオン化セルロースを含有する水性液体洗浄剤組成物を、泡吐出容器に充填してなる皮膚洗浄剤（特許文献２）等が検討されている。
しかしながら、これらの洗浄剤では、容器から吐出された泡で洗浄する際に、泡が消えやすく、十分な汚れ落ちと洗浄実感が得られないという問題があった。
【０００４】
また、泡吐出容器に充填された洗浄剤に限らず、手洗い用の洗浄剤においては、特に冬場など、手洗い回数が増えると、洗浄後に皮膚の水分量が洗浄前より低下しやすく、手荒れの原因になりやすいという問題があった。
【先行技術文献】
【特許文献】
【０００５】
【特許文献１】特開２００１−１７２１６６号公報
【特許文献２】特開２００５−１６２６６６号公報
【発明の概要】
【発明が解決しようとする課題】
【０００６】
本発明は、使用中の泡の増泡性に優れ、高い洗浄実感が得られ、ぬるつかずにさっと洗い流せ、繰り返し行われる洗浄にも十分なマイルド性を有する洗浄剤組成物を提供することを課題とする。
【課題を解決するための手段】
【０００７】
本発明者らは、ポリオキシエチレンアルキルエーテル硫酸塩に、ポリオキシエチレンアルキルエーテルカルボン酸又はその塩と、特定の物性を有するポリオキシエチレンアルキルエーテル型非イオン界面活性剤を組み合わせることにより、肌に対するマイルド性を向上させると同時に、すすぎが改善することを見出した。また、特定のポリグリセリン脂肪酸エステルを組み合わせて用いることにより、泡吐出容器から吐出させた泡が洗浄行為によるマッサージにより更に増泡し、泡が広がりやすく、洗浄実感を高めることができ、上記の課題を解決した洗浄剤組成物が得られることを見出した。
【０００８】
本発明は、次の成分（Ａ）、（Ｂ）、（Ｃ）及び（Ｄ）：
（Ａ）ポリオキシエチレンアルキルエーテル硫酸塩  １〜２０質量％、
（Ｂ）ポリオキシエチレンアルキルエーテルカルボン酸又はその塩  ０．５〜２０質量％、
（Ｃ）融点が３０℃以上である、水溶性ポリオキシエチレンアルキルエーテル型非イオン界面活性剤  ０．２〜１６質量％、
（Ｄ）炭素数８〜１８の脂肪酸とポリグリセリン平均重合度２〜１５のポリグリセリン脂肪酸エステル  ０．００１〜５質量％
を含有する透明洗浄剤組成物を提供するものである。
【発明の効果】
【０００９】
本発明の洗浄剤組成物は、洗浄中の泡量を多くすることにより、洗浄実感に優れ、ぬるつかずに洗い流せて、繰り返し行われる洗浄にも十分なマイルド性を有するものであり、起泡性及び洗浄性に優れるとともに、肌にやさしく、繰り返し皮膚を洗浄しても、皮膚の水分量が維持され、肌荒れが抑制される。特に、泡吐出容器に充填して使用するのに適した物性を有するものである。
【発明を実施するための形態】
【００１０】
本発明で用いる成分（Ａ）のポリオキシエチレンアルキルエーテル硫酸塩は、通常の洗浄剤組成物に用いられるものであれば特に制限されないが、炭素数１０〜１８のアルキル基又はアルケニル基を有するものが好ましく、更に炭素数１２〜１４のアルキル基を有するものが好ましい。また、エチレンオキシド付加モル数は、平均で０より大きく５以下、更に平均１〜４であるのが好ましい。
【００１１】
また、塩としては、ナトリウム、カリウム等のアルカリ金属塩；カルシウム、マグネシウム等のアルカリ土類金属塩；アンモニウム塩；モノエタノールアミン、ジエタノールアミン、トリエタノールアミン等のアルカノールアミン塩；アルギニン、リジン等の塩基性アミノ酸塩などが挙げられる。
【００１２】
成分（Ａ）は、１種以上を用いることができ、全組成中に塩として、１〜２０質量％、好ましくは２〜１５質量％、更に好ましくは５〜１０質量％含有される。この範囲内であれば、温度変化による洗浄剤組成物の粘度変化が少なく、泡吐出容器等に充填使用した場合に適した液粘度と泡質が維持できる。
【００１３】
本発明で用いる成分（Ｂ）のポリオキシエチレンアルキルエーテルカルボン酸（又はその）塩は、通常の洗浄剤組成物に用いられるものであれば特に制限されずに用いることができる。
これらは、炭素数１０〜１８のアルキル基又はアルケニル基を有するものが好ましく、更に炭素数１２〜１６のアルキル基を有するものが好ましい。また、エチレンオキシド付加モル数は、平均で０より大きく１０以下、更に平均１〜６であるのが好ましい。
【００１４】
また、塩としては、ナトリウム、カリウム等のアルカリ金属塩；カルシウム、マグネシウム等のアルカリ土類金属塩；アンモニウム塩；モノエタノールアミン、ジエタノールアミン、トリエタノールアミン等のアルカノールアミン塩などが挙げられる。
【００１５】
成分（Ｂ）は、１種以上を用いることができ、全組成中に酸として、０．５〜２０質量％、好ましくは０．５〜１０質量％、更に好ましくは１〜５質量％含有される。この範囲内であれば、肌に対してやさしく汚れを落とせる組成となる。
【００１６】
本発明で用いる成分（Ｃ）のポリオキシエチレンアルキルエーテル型非イオン界面活性剤は、融点が３０℃以上で、水溶性のものである。すなわち、単体では固体状態にありながら、水に５質量％溶解させたとき、２５℃で透明な１液相を維持できるものをいう。
なお、本発明において、融点は、ＪＩＳ−Ｋ７１２１−１９８７−９−９．１（１）に従って測定した融解ピークの頂点の温度を示す。
成分（Ｃ）は、融点が３０℃以上で固体のものから選ぶことにより、成分（Ａ）及び（Ｂ）で得られるややぬるつきのある感触を、さっぱりした感じに変えることができ、すすぎ性を向上させることができる。また、すすぎ後の乾いた肌感触は、さらさら感が強調され、使用者に清潔感を認知させることができる。
【００１７】
成分（Ｃ）のポリオキシエチレンアルキルエーテル型非イオン界面活性剤としては、具体的には、ポリオキシエチレンラウリルエーテル、ポリオキシエチレンミリスチルエーテル、ポリオキシエチレンパルミチルエーテル、ポリオキシエチレンイソステアリルエーテル、ポリオキシエチレンステアリルエーテル、ポリオキシエチレンオレイルエーテル、ポリオキシエチレンヘキシルデシルエーテル、ポリオキシエチレンオクチルドデシルエーテル、ポリオキシエチレンベヘニルエーテル等が挙げられる。
【００１８】
また、成分（Ｃ）のポリオキシエチレンアルキルエーテル型非イオン界面活性剤は、ＨＬＢ１０〜２０、更にＨＬＢ１３〜１６のものが、より透明性に優れた洗浄剤組成物が得られるので好ましい。
なお、ＨＬＢとは、親水性−親油性のバランス（Ｈｙｄｒｏｐｉｌｅ  Ｂａｌａｎｃｅ）を示す指標であり、本発明においては小田・寺村らによる次式を用いて算出した値を用いている。
【００１９】
【数１】
0005665581.tif 000002
【００２０】
成分（Ｃ）の３ポリオキシエチレンアルキルエーテル型非イオン界面活性剤としては、ポリオキシエチレン（２１）ラウリルエーテル（エマルゲン１２１−Ｇ（ＨＬＢ１４、融点３８℃）、花王社製）、ポリオキシエチレン（２０）２−ヘキシルデシルエーテル（エマルゲン１６２０Ｇ（ＨＬＢ１４、融点４３℃）、花王社製）、ポリオキシエチレン（２０）オクチルドデシルエーテル（エマルゲン２０２０Ｇ（ＨＬＢ１３、融点４０℃）、花王社製）等が好適に用いられる。
【００２１】
成分（Ｃ）は、１種以上を用いることができ、洗浄剤組成物の粘度とすすぎ時の感触の点から、全組成中に０．２〜１６質量％、好ましくは、０．５〜１０質量％、更に好ましくは１〜５質量％含有される。
【００２２】
成分（Ａ）のポリオキシエチレンアルキルエーテル硫酸塩は、洗浄性及び起泡性に優れるが、皮膚浸透性が高いため、皮膚の皮脂まで奪い、皮膚の水分保持性が低下する場合がある。本発明においては、このような成分（Ａ）に、成分（Ｂ）を組み合わせることにより、皮膚角層の膨潤・浸透を弱め、皮膚表面の洗浄のみに特化した洗浄剤を得ることができる。
また、これに、成分（Ｃ）を組み合わせて用いることにより、繰り返し洗浄しても十分なマイルド性を発揮できるものとなる。特に手肌用の洗浄剤に関しては、一般に１日に３回以上数十回使用されるが、本発明においては、１０回及び３０回の連続洗浄によってさえも、手肌の水分量の低下を最小限に抑えることができる。
【００２３】
本発明の洗浄剤組成物においては、成分（Ａ）、（Ｂ）及び（Ｃ）の質量割合が、（Ａ）／（（Ｂ）＋（Ｃ））＝３／１〜１／２、更に２／１〜１／１であるのが、肌へのやさしさにより優れるので好ましい。
また、成分（Ｃ）は固体成分であるため、条件によっては吐出容器中での液の乾燥により固体成分が析出して吐出不良の原因となる可能性がある。このため、液状成分である成分（Ａ）及び（Ｂ）に対し、成分（Ｃ）は、（（Ａ）＋（Ｂ））／（Ｃ）＝２／１〜１０／１の割合で配合されることが好ましく、更に３／１〜５／１であるのがより好ましい。
【００２４】
本発明で用いる成分（Ｄ）のポリグリセリン脂肪酸エステルは、洗浄中に空気を巻き込んで泡を増やす効果があり、使用中の泡の減りを防ぎ、手指の隅々まで泡を行き届かせることによって、十分な洗浄と洗浄実感を与える。
泡の安定化や泡質改善のために行われる方法としては、アニオン界面活性剤と相互作用して安定な界面膜を形成する両性界面活性剤や、コンパクトな親水基をもつ脂肪酸や高級アルコールなどのノニオン性の両親媒性物質が組み合わせる方法がある。しかし、それらはアニオン界面活性剤と相互作用して泡膜を強固にするため、外部からの物理力により泡は緻密化する方向へと進む。その結果、泡量は減って伸びの悪いものになっていく。また、液粘度が上がるため、泡の吐出性や泡質にも影響を及ぼす。従って、本発明の組成物中には、両性界面活性剤や、脂肪酸、高級アルコール、グリセリン脂肪酸エステル、アルキルグリセリルエーテルなどの両親媒性物質は合計０．３質量％以下であるのが好ましく、更に含まないことが好ましい。
【００２５】
ポリグリセリン脂肪酸エステルは、大きな親水部と水を固定化する水酸基を有するため、アニオン界面活性剤との組み合わせにおいて強固な会合を形成せず、泡膜の柔軟性を保ちながら、気液界面からの排水を遅らせ、泡を安定化すると考えられる。そのため、使用時に新たに巻き込まれた空気を取り込んで界面を増やし、一時的に増泡させて細かい部分への広がりと洗浄実感を高める効果がある。このような特性から、本発明の洗浄剤組成物は、手を濡らして使用した時、手を濡らさない時でも、泡膜の柔軟性を維持して、すみやかに広がって汚れを浮かすことができる。
【００２６】
成分（Ｄ）のポリグリセリン脂肪酸エステルは、炭素数８〜１８の脂肪酸とポリグリセリン平均重合度が２〜１５のエステルである。炭素数８未満では、アニオン界面活性剤との相溶性が悪くなり増泡効果が弱くなる。炭素数１８を超えると融点が上がるため、泡膜が固くなる。また、ポリグリセリンの平均重合度は１５を超えると水溶性が高くなりすぎて泡膜への効果が弱くなる。
また、成分（Ｄ）のポリグリセリン脂肪酸エステルは、ＨＬＢ１２〜１８、更にＨＬＢ１３〜１６のものが、透明性を維持しつつ、優れた泡立ちが得られるので好ましい。
【００２７】
成分（Ｄ）のポリグリセリン脂肪酸エステルとしては、例えば、ポリグリセリンオクタン酸エステル、ポリグリセリン２−エチルヘキサン酸エステル、ポリグリセリンデカン酸エステル、ポリグリセリンラウリン酸エステル、ポリグリセリンミリスチン酸エステル、ポリグリセリンパルミチン酸エステル、ポリグリセリンイソステアリン酸エステル、ポリグリセリンステアリン酸エステル、ポリグリセリンオレイン酸エステル、ポリグリセリンベヘニン酸エステル等が挙げられる。
特に、炭素数１２〜１８の脂肪酸モノエステルが好ましい。また、ポリグリセリンの平均重合度は５〜１０が好ましい。
具体的には、モノラウリン酸デカグリセリル（サンソフトＭ−１２Ｊ、太陽化学社製）や、モノステアリン酸ペンタグリセリル（サンソフトＡ−１８１Ｅ、太陽化学社製）が好ましい。
【００２８】
成分（Ｄ）は、１種以上を用いることができ、全組成中に０．００１〜５質量％、好ましくは０．０１〜２質量％、更に好ましくは０．０５〜１質量％含有される。この範囲内であれば、使用中の泡の減りを防ぎ、手指の隅々まで泡が行き届かせることによって十分な洗浄と洗浄実感を与えることができる。
【００２９】
また、成分（Ｄ）は、泡膜の改質に効果があるため、泡を形成する成分（Ａ）〜（Ｃ）との比が重要となる。（Ａ）、（Ｂ）及び（Ｃ）に対し、（Ｄ）の質量割合が、（（（Ａ）＋（Ｂ）＋（Ｃ））／（Ｄ）＝５０／１〜１００／１、特に７０／１〜９５／１であるのが、泡立ちや泡質に優れ、洗浄実感がより高くなるので好ましい。
【００３０】
本発明の洗浄剤組成物は、更に、（Ｅ）カチオンポリマーを含有することができ、起泡性及び泡持ちをより向上させることができる。
かかるカチオンポリマーとしては、例えば、カチオン化セルロース、カチオン化澱粉、カチオン化フェヌグリークガム、カチオン化グアーガム、カチオン化タラガム、カチオン化ローカストビーンガム、カチオン化キサンタンガム、ジアリルジアルキル四級アンモニウム塩／アクリルアミド共重合物、ビニルイミダゾリウムトリクロライド／ビニルピロリドン共重合体、ヒドロキシエチルセルロース／ジメチルジアリルアンモニウムクロライド共重合体、ビニルピロリドン／四級化ジメチルアミノエチルメタクリレート共重合体、ポリビニルピロリドン／アルキルアミノアクリレート共重合体、ポリビニルピロリドン／アルキルアミノアクリレート／ビニルカプロラクタム共重合体、ビニルピロリドン／メタクリルアミドプロピル塩化トリメチルアンモニウム共重合体、アルキルアクリルアミド／アクリレート／アルキルアミノアルキルアクリルアミド／ポリエチレングリコールメタクリレート共重合体、アジピン酸／ジメチルアミノヒドロキシプロピルエチレントリアミン共重合体（米国サンドス社，カルタレチン）、特開昭53-139734号公報、特開昭60-36407号公報に記載されているカチオン性ポリマー等が挙げられる。
これらのうち、カチオン化セルロース、カチオン化フェヌグリークガム、カチオン化グアーガム、カチオン化タラガム、カチオン化ローカストビーンガム、ジアリルジアルキル四級アンモニウム塩／アクリルアミド共重合物が好ましい。
【００３１】
成分（Ｅ）は、１種以上を用いることができ、全組成中に０．００１〜０．２質量％、特に０．００５〜０．１質量％、更に０．０１〜０．０５質量％含有されるのが好ましい。
【００３２】
本発明の洗浄剤組成物は、更に、（Ｆ）ポリオールを含有することができ、皮膚の水分保持性がより高くなる。
かかるポリオールは、分子内に水酸基を２個以上有する多価アルコールであり、具体的には、エチレングリコール、プロピレングリコール、１，３−ブチレングリコール、１，４−ブチレングリコール等のアルキレングリコール；ジプロピレングリコール等のポリアルキレングリコール；グルコース、マルトース、マルチトース、蔗糖、フラクトース、キシリトール、ソルビトール、マルトトリオース、スレイトール等の糖アルコール；グリセリン、ポリグリセリン、エリスリトール、澱粉分解還元アルコール等が挙げられる。
【００３３】
成分（Ｆ）は、１種以上を用いることができ、全組成中に０．１〜５０質量％、特に１〜２０質量％、更に３〜１０質量％含有されるのが好ましい。
【００３４】
本発明の洗浄剤組成物は、更に、通常の洗浄剤組成物に用いられる成分、例えば、油性成分、殺菌剤、抗炎症剤、防腐剤、キレート剤、塩類、パール化剤、スクラブ剤、香料、冷感剤、色素、紫外線吸収剤、酸化防止剤、植物エキスなどを含有することができる。
【００３５】
本発明の洗浄剤組成物は、水を含有する水性液状のものである。水は、各成分の残余をなし、全組成中に７０〜９７質量％含有するのが好ましい。
本発明の洗浄剤組成物は、水に各成分を順次混合し、攪拌し、溶解することにより、製造することができる。水溶性のポリマーを混合する際には、プロピレングリコール等のポリオールに、ポリマーを分散させた後、８０℃に加熱した水に混合し、溶解後、各成分を混合し、溶解後、室温に冷却することにより、製造することができる。
【００３６】
本発明の洗浄剤組成物は透明のものである。ここで、透明とは、５５０ｎｍにおける透過率を測定し、７５以上１００以下の範囲を透明とする。
【００３７】
また、本発明の洗浄剤組成物は、３０℃における粘度が１〜１０００mPa・sであるのが好ましく、特に、泡吐出容器に充填して使用する場合における粘度は１〜３０mPa・sであるのが好ましい。
【００３８】
本発明の洗浄剤組成物は、そのまま洗浄剤組成物として用いることができるほか、泡吐出容器に充填した洗浄剤組成物として使用することもできる。
泡吐出容器としては、洗浄剤組成物を空気と混合して発泡状態で吐出できるものであれば特に限定されず、例えば、軟質容器の胴部を押圧して吐出するスクイズフォーマー型、押圧ポンプより吐出するポンプフォーマー型等を用いることができる。中でも、発泡機構に多孔質膜体を備えたものが好ましく、洗浄剤組成物が通過する厚さが０．１〜２mm程度のスポンジ状、焼結体、網状等の多孔質膜体を単層又は複数層で、又は複数箇所に備えることができる（例えば、特公昭52-16567号公報、実開昭58-174272号公報、実開平3-7963号公報、実開平6-32346号公報、特開平7-215352号公報、特開平9-118352号公報等）。多孔質膜体のメッシュサイズは、５０〜５００メッシュ、特に１５０〜４００メッシュが好ましい。また、このような多孔質膜体の材質として、ナイロン、ポリエステル、ポリオレフィン等のプラスティック材料が好ましい。
【００３９】
本発明の洗浄剤組成物は、ハンドソープ、ハンドウォッシュ、洗顔料、洗顔フォーム、クレンジングフォーム、ボディソープ、ボディ用洗浄フォーム等の皮膚洗浄剤として適用することができる。特に、手洗い用洗浄剤組成物として好適である。また、手を水で濡らさずに、洗浄剤組成物を直接手に塗布し、マッサージして洗い流すことによっても、洗浄することができ、汚れを十分に落とすことができる。
【実施例】
【００４０】
実施例１〜１３、比較例１〜５
表１〜表３に示す組成の洗浄剤組成物を、水に各成分を混合し、溶解することにより製造し、透過率及び粘度を測定するとともに、皮膚の水分量、泡立ち及び汚れ落ちを評価した。結果を表１〜表３に併せて示す。
【００４１】
（評価方法）
（１）透過率：
島津製作所社製の分光光度計（ＵＶ−１８００）を用い、５５０ｎｍにおける透過率を測定した。コントロールとして用いた蒸留水の透過率を１００として、７５以上１００以下の範囲であれば、透明である。
【００４２】
（２）粘度：
３０℃にて、ＢＭ型粘度計（東機産業社製）を用い、ローターNo.１、６０rpmの速度で粘度を測定した。
【００４３】
（３）皮膚の水分量（角質水分量）：
以下の方法により、キャパシタンス値を測定し、皮膚の水分量を求めた。
(a)手甲部を水で洗浄する。
(b)恒温室内（２０℃、４０％RH）で１０分間安静にした後、Courage+Khazaka electronic GmbH（ドイツ社製）の機種：Corneometer CM825RCにより、洗浄前のキャパシタンスを測定する。測定は、手甲部全体５箇所で行い、平均値を求めた。
(c)各洗浄剤組成物を、ポンプフォーマー容器（１６０mL〔ＹＦ−９４１３〕吉野工業社製）に充填し、２回押して、約２mLを手のひらに取る。手首から手先まで全体の範囲で１０秒間左右の手を擦り合わせ（マッサージ）洗浄剤をよくなじませた後、１０秒間流水ですすぐ。これらを１０回及び３０回行う。洗浄後、恒温室内（２０℃、４０％RH）で約３０分経過した後、洗浄後のキャパシタンスを測定する。キャパシタンスの測定は、手甲部全体５箇所で行い、平均値を求めた。
結果は、洗浄前のキャパシタンス値を１として、洗浄後のキャパシタンス値をその相対比で示した。
【００４４】
（４）泡立ち：
各洗浄剤組成物を、ポンプフォーマー容器（１６０mL〔ＹＦ−９４１３〕吉野工業社製）に充填した。女性１０名（専門パネラー）が、各洗浄剤組成物について、ポンプを２回押して手のひらに泡を吐出させ、これを左右の手で１０秒間こすり合わせて使用したときの泡立ちを、目視により以下の基準で評価した。結果を平均値で示した。
１；泡が増えていく。
２；泡が維持される。
３；泡が減っていく。
【００４５】
（５）汚れ落ち（手に直接使用及び手を濡らして使用）
手甲部に直径３．５cmの円形をマーキングし、その内部を被験部位とする。表４に示すモデルコメド皮脂にカーボンブラック（汚れ）を２質量％加え、分散させた。これを５０℃の湯浴で溶解し、そのうち２０μＬを上記被験部位に均一に塗布し、１５分放置する。
各洗浄剤組成物を、ポンプフォーマー容器（１６０mL〔ＹＦ−９４１３〕吉野工業社製）に充填した。女性３名（専門パネラー）が、各洗浄剤組成物について、ポンプを１回押して被験部位に泡を吐出させた。一方の手の３本の指先（人指し指、中指、薬指）で泡全体を押し潰すようにしながら、円を描くように５回擦り合わせた。その後水で泡を洗い流した後、カーボンブラック（汚れ）の落ちを、以下の基準で官能的に評価した。結果を平均値で示した。
１；汚れが全く残らない。
２；汚れがわずかに残る。
３；汚れが残る。
【００４６】
【表１】
0005665581.tif 000003
【００４７】
【表２】
0005665581.tif 000004
【００４８】
【表３】
0005665581.tif 000005
【００４９】
【表４】
0005665581.tif 000006